(57)【要約】【課題】変速完了後にエンジンの駆動を再開した際にトルクショックが発生することを抑制可能な駆動力制御装置を提供する。【解決手段】駆動力制御装置１では、制御部５が、変速段検出部４によって検出された変速段が切り換わるのに応じて、スロットル開度をスロットル開度の一時的な変化が収束する方向へ所定速度で変化させるように、モータ駆動部６を制御し、かつ、変速操作がシフトダウン操作のときは、変速操作がシフトアップ操作のときと比べて、点火の停止及び／又は燃料の噴射の停止を継続させる時間が短くなるように、点火栓駆動部７及び／又は燃料噴射弁駆動部８を制御すると共に、かかる所定速度が小さくなるように、モータ駆動部６を制御する。【選択図】図１
2018141424.tif 000002
【特許請求の範囲】
【請求項１】
メインクラッチ及びドッグ式トランスミッションを順に介してエンジンの駆動力を駆動輪に伝達する鞍乗型車両に搭載され、前記メインクラッチの接続又は遮断を検出するクラッチ状態検出部と、前記ドッグ式トランスミッションの変速操作を検出する変速操作検出部と、前記エンジンの点火栓に点火を行わせる点火栓駆動部と、前記エンジンに燃料を噴射する燃料噴射弁を駆動する燃料噴射弁駆動部と、前記エンジンのスロットル開度を変化させるモータを駆動するモータ駆動部と、前記ドッグ式トランスミッションのドッグ同士が加速時の係合状態でありかつ前記クラッチ状態検出部が前記メインクラッチの前記接続を検出している状態において前記変速操作検出部が前記変速操作を検出した場合には、前記ドッグ同士の係合を解除し又は弱めて前記ドッグ式トランスミッションの変速を可能とするために、前記点火の停止及び／又は前記燃料の噴射の停止を実行するように前記点火栓駆動部及び／又は前記燃料噴射弁駆動部を制御すると共に、前記モータ駆動部を制御することによって前記スロットル開度に一時的な変化を生じさせる制御部と、を備える駆動力制御装置であって、
前記ドッグ式トランスミッションの変速段を検出する変速段検出部を更に備え、
前記制御部は、前記変速段検出部によって検出された前記変速段が切り換わるのに応じて、前記スロットル開度を前記スロットル開度の前記一時的な変化が収束する方向へ所定速度で変化させるように、前記モータ駆動部を制御し、
かつ、前記制御部は、前記変速操作がシフトダウン操作のときは、前記変速操作がシフトアップ操作のときと比べて、前記点火の停止及び／又は前記燃料の噴射の停止を継続させる時間が短くなるように、前記点火栓駆動部及び／又は前記燃料噴射弁駆動部を制御すると共に、前記所定速度が小さくなるように、前記モータ駆動部を制御することを特徴とする駆動力制御装置。
【発明の詳細な説明】
【技術分野】
【０００１】
本発明は、駆動力制御装置に関し、特に、メインクラッチ及びドッグ式トランスミッションを順に介してエンジンの駆動力を駆動輪に伝達する鞍乗型車両に搭載される駆動力制御装置に関する。
【背景技術】
【０００２】
自動二輪車の中には、ドッグ式トランスミッションを備えるものがある。かかるドッグ式トランスミッションでは、運転者が、メインクラッチを操作することなく、ドッグ式トランスミッションのドッグ同士（ドッグ歯同士）が当接してエンジンと駆動輪との一方が他方を駆動している状態で、変速を行うことができる。かかる構成によれば、運転者が、メインクラッチの操作を省略して、迅速に変速を行うことが可能となる。
【０００３】
ところが、エンジンと駆動輪との一方が他方を駆動している状態では、ドッグ式トランスミッションのドッグ同士の接触面に大きな押圧力が作用している。このため、運転者が変速のためにドッグ同士を引き離そうとしても、接触面に押圧力に比例した大きな静止摩擦力が作用しているために、運転者の操作によりドッグ同士を引き離すことが困難となる傾向がある。
【０００４】
かかる状況下で、特許文献１は、駆動力制御装置１に関し、制御部４が、クラッチ状態検出部２がメインクラッチの接続を検出している状態において変速操作検出部３がドッグ式トランスミッションの変速操作を検出した場合には、スロットル開度をノーロードラインに対して偏位した所定開度に一旦変化させた後に、スロットル開度をノーロードラインに対応したスロットル開度へ向けて変化させる構成を開示する。
【先行技術文献】
【特許文献】
【０００５】
【特許文献１】特開２０１６−９８７２９号公報
【発明の概要】
【発明が解決しようとする課題】
【０００６】
しかしながら、本発明者の検討によれば、特許文献１の構成は、ドッグ式トランスミッションの変速操作が検出されたときに、ドッグ式トランスミッションのドッグ同士が係合状態にある場合にその係合状態を解除して変速を可能としながら、変速が完了するまでの間に運転者の意に反して鞍乗型車両が加速又は減速することを抑制しつつ、運転者が変速操作を開始してから実際にエンジンの駆動力が十分に変化するまでのタイムラグを短縮することができるものであるが、かかる構成では、車両の加減速の状態やドッグ式トランスミッションの変速の方向によっては、変速完了後にエンジンの駆動力が急増して、トルクショックが大きくなる傾向が考えられて、この点で改善の余地がある。このような傾向は、車両が自動二輪車等の軽量な鞍乗型車両である場合に、より顕著となるものでもある。
【０００７】
本発明は、以上の検討を経てなされたものであり、変速完了後にエンジンの駆動を再開した際にトルクショックが発生することを抑制可能な駆動力制御装置を提供することを目的とする。
【課題を解決するための手段】
【０００８】
以上の目的を達成するべく、本発明は、メインクラッチ及びドッグ式トランスミッションを順に介してエンジンの駆動力を駆動輪に伝達する鞍乗型車両に搭載され、前記メインクラッチの接続又は遮断を検出するクラッチ状態検出部と、前記ドッグ式トランスミッションの変速操作を検出する変速操作検出部と、前記エンジンの点火栓に点火を行わせる点火栓駆動部と、前記エンジンに燃料を噴射する燃料噴射弁を駆動する燃料噴射弁駆動部と、前記エンジンのスロットル開度を変化させるモータを駆動するモータ駆動部と、前記ドッグ式トランスミッションのドッグ同士が加速時の係合状態でありかつ前記クラッチ状態検出部が前記メインクラッチの前記接続を検出している状態において前記変速操作検出部が前記変速操作を検出した場合には、前記ドッグ同士の係合を解除し又は弱めて前記ドッグ式トランスミッションの変速を可能とするために、前記点火の停止及び／又は前記燃料の噴射の停止を実行するように前記点火栓駆動部及び／又は前記燃料噴射弁駆動部を制御すると共に、前記モータ駆動部を制御することによって前記スロットル開度に一時的な変化を生じさせる制御部と、を備える駆動力制御装置であって、前記ドッグ式トランスミッションの変速段を検出する変速段検出部を更に備え、前記制御部は、前記変速段検出部によって検出された前記変速段が切り換わるのに応じて、前記スロットル開度を前記スロットル開度の前記一時的な変化が収束する方向へ所定速度で変化させるように、前記モータ駆動部を制御し、かつ、前記制御部は、前記変速操作がシフトダウン操作のときは、前記変速操作がシフトアップ操作のときと比べて、前記点火の停止及び／又は前記燃料の噴射の停止を継続させる時間が短くなるように、前記点火栓駆動部及び／又は前記燃料噴射弁駆動部を制御すると共に、前記所定速度が小さくなるように、前記モータ駆動部を制御することを第１の局面とする。
【発明の効果】
【０００９】
以上の本発明にかかる駆動力制御装置によれば、制御部が、変速段検出部によって検出された変速段が切り換わるのに応じて、スロットル開度をスロットル開度の一時的な変化が収束する方向へ所定速度で変化させるように、モータ駆動部を制御し、かつ、制御部が、変速操作がシフトダウン操作のときは、変速操作がシフトアップ操作のときと比べて、点火の停止及び／又は燃料の噴射の停止を継続させる時間が短くなるように、点火栓駆動部及び／又は燃料噴射弁駆動部を制御すると共に、かかる所定速度が小さくなるように、モータ駆動部を制御するものであるため、変速完了後にエンジンの駆動を再開した際にトルクショックが発生することを抑制することができる。
【図面の簡単な説明】
【００１０】
【図１】図１は、本発明の実施形態における駆動力制御装置の構成を示すブロック図である。
【図２】図２は、本実施形態における駆動力制御装置による駆動力制御処理を加速時に実行する際のシフトダウン操作に伴うスロットル開度の時間変化を主として示す図である。
【図３】図３は、本実施形態における駆動力制御装置による駆動力制御処理を加速時に実行する際のシフトアップ操作に伴うスロットル開度の時間変化を主として示す図である。
【発明を実施するための形態】
【００１１】
以下、図面を適宜参照して、本発明の実施形態における駆動力制御装置につき、詳細に説明する。
【００１２】
〔駆動力制御装置の構成〕
まず、図１を参照して、本実施形態における駆動力制御装置の構成について説明する。
【００１３】
図１は、本実施形態における駆動力制御装置の構成を示すブロック図である。
【００１４】
図１に示すように、本実施形態における駆動力制御装置１は、ＥＣＵ（Ｅｌｅｃｔｒｏｎｉｃ  Ｃｏｎｔｒｏｌ  Ｕｎｉｔ）等の電子制御装置によって構成され、いずれも図示を省略するメインクラッチ及びドッグ式トランスミッションを順に介してエンジンの駆動力を駆動輪に伝達する典型的には自動二輪車等の鞍乗型車両に搭載されている。
【００１５】
駆動力制御装置１は、クラッチ状態検出部２、変速操作検出部３、変速段検出部４、制御部５、モータ駆動回路６、点火栓駆動回路７、及び燃料噴射弁駆動回路８を備えている。なお、これらのクラッチ状態検出部２、変速操作検出部３、変速段検出部４、及び制御部５は各々機能ブロックとして示している。また、駆動力制御装置１は、図示を省略するメモリ等を備えており、メモリには、駆動力制御装置１に必要な制御プログラム及び制御データ等が格納されている。
【００１６】
具体的には、クラッチ状態検出部２は、鞍乗型車両の運転者がメインクラッチを接続又は遮断する際のその操作に関する情報を坦持するクラッチスイッチ１１からの入力信号に基づいて、メインクラッチの接続又は遮断を検出する。クラッチ状態検出部２は、このように検出したメインクラッチの断続操作に応じた電気信号を制御部５に入力する。
【００１７】
変速操作検出部３は、運転者がドッグ式トランスミッションの変速操作を行う際のその変速操作に関する情報を坦持する変速操作スイッチ１２からの入力信号に基づいて、ドッグ式トランスミッションの変速操作を検出する。変速操作検出部３は、このように検出したドッグ式トランスミッションの変速操作の有無に応じた電気信号を制御部５に入力する。
【００１８】
変速段検出部４は、ギヤポジションセンサ１３が出力するドッグ式トランスミッションのシフトドラムの回転位置に対応してドッグ式トランスミッションで選択されている変速段（ギヤポジション）に応じた信号に基づいて、ドッグ式トランスミッションで選択されている変速段を検出する。変速段検出部４は、このように検出した変速段を示す電気信号を制御部５に入力する。
【００１９】
制御部５は、クラッチスイッチ１１、変速操作スイッチ１２、ギヤポジションセンサ１３、スロットルポジションセンサ１５、アクセル開度センサ１６、及びクランク角センサ１７からの入力信号を用いて、点火栓駆動回路７及び燃料噴射弁駆動回路８を制御すると共に、エンジンのスロットルバルブの開度（スロットル開度）、つまり実際のスロットル開度である実スロットル開度を制御するようにモータ駆動回路６を制御する。制御部５は、このような制御のための各々の制御信号を、点火栓駆動回路７、燃料噴射弁駆動回路８及びモータ駆動回路６に入力する。スロットルポジションセンサ１５は、エンジンのスロットル開度に応じた電気信号を入力する。アクセル開度センサ１６は、鞍乗型車両のアクセルグリップ等のアクセル操作部材の操作量（アクセル開度）に応じた電気信号を入力する。また、クランク角センサ１７は、エンジンのクランク角（クランク軸の回転角度）に応じた電気信号を入力する。
【００２０】
ここで、制御部５は、変速段検出部４によって検出された変速段が切り換わるのに応じて、スロットル開度をスロットル開度の一時的な変化が収束する方向へ所定速度で変化させるように、モータ駆動部６を制御し、かつ、変速操作検出部３によって検出された変速操作がシフトダウン操作のときは、変速操作検出部３によって検出された変速操作がシフトアップ操作のときと比べて、点火の停止及び／又は燃料の噴射の停止を継続させる時間が短くなるように、点火栓駆動部７及び／又は燃料噴射弁駆動部８を制御すると共に、かかる所定速度が小さくなるように、モータ駆動部６を制御する。
【００２１】
モータ駆動回路６は、制御部５からの制御信号に従って、スロットルモータ１４を駆動することによってスロットル開度を制御する。
【００２２】
点火栓駆動回路７は、制御部５からの制御信号に従って、エンジンの点火栓１８によるエンジンへの点火動作、つまり点火の開始、停止及び再開といった一連の点火動作を制御する。
【００２３】
燃料噴射弁駆動回路８は、制御部５からの制御信号に従って、エンジンに燃料を噴射する燃料噴射弁１９の、つまり燃料噴射の開始、停止及び再開といった一連の燃料噴射動作を制御する。
【００２４】
以上のような構成を有する駆動力制御装置１は、以下に示す駆動力制御処理を実行することによって、変速完了後にエンジンの駆動を再開した際にトルクショックが発生することを抑制する。以下、更に図２及び図３をも参照して、駆動力制御処理を実行する際の駆動力制御装置１の動作について、詳細に説明する。
【００２５】
〔駆動力制御処理〕
図２は、本実施形態における駆動力制御装置１による駆動力制御処理をエンジンの加速時に実行する際のシフトダウン操作に伴うスロットル開度の時間変化を主として示す図である。また、図３は、本実施形態における駆動力制御装置１による駆動力制御処理をエンジンの加速時に実行する際のシフトアップ操作に伴うスロットル開度の時間変化を主として示す図である。なお、図２及び図３中において、特性線Ｌ１及びＬ１１は、運転者によるアクセル操作によって要求される要求スロットル開度（一例として、各々、一定値に維持されるものとして示し、ノーロードラインに対応するスロットル開度ＮＬＬよりも高い）、特性線Ｌ２及びＬ１２は、目標スロットル開度、特性線Ｌ３及びＬ１３は、ノーロードラインに対応するスロットル開度ＮＬＬ、特性線Ｌ４及びＬ１４は、スロットル開度がゼロであることを示す線、特性線Ｌ５及びＬ１５は、点火カット（点火栓による点火の停止）の有無を示す線、特性線Ｌ６及びＬ１６は、燃料カット（燃料噴射の停止）の有無を示す線、特性線Ｌ７及びＬ１７は、運転者による変速操作に応じたシフト要求の有無を示す線、並びに特性線Ｌ８及びＬ１８は、変速段（ギヤポジション）の変化（変速）を示す線を各々示している。また、特性線Ｌ２及びＬ１２は、駆動力制御装置１の制御上では目標スロットル開度を示すものであるが、現実的には、目標スロットル開度に向けてフィードバック制御される実スロットル開度を示していると考えてもかまわない。
【００２６】
ここで、本実施形態における駆動力制御装置１による駆動力制御処理において、かかるノーロードラインは、エンジンの駆動力がエンジンのその抵抗力（機械的な摩擦力や潤滑油の粘弾性力等）と釣り合った状態のエンジンの運転状態を示し、典型的には、エンジン回転速度及びスロットル開度をパラメータとし、ドッグ式トランスミッションのドッグ同士の係合が解除可能なエンジンの運転状態を示す特性データから成って、予め設定されてメモリ内に記憶されている。詳しくは、ノーロードラインは、ドッグ式トランスミッションのドッグ同士の係合状態が減速時の係合状態と加速時の係合状態との間で切り換わるエンジンの運転状態の境界を規定するもので、ドッグ同士が互いに離間又は押圧せずに単に当接している状態、及びドッグ同士が切り離し可能な状態で互いを緩やかに押圧している状態におけるエンジン回転速度及びスロットル開度間の関係を規定するものである。つまり、ノーロードラインは、エンジン回転速度及びスロットル開度を各々の座標軸とする直交座標系において、単なる線のみならず、それを含んである程度の上下幅を有して延びる領域となる。また、図２及び図３の特性線Ｌ３及びＬ１３に示すノーロードラインに対応するスロットル開度ＮＬＬは、このようなノーロードラインに対応する領域におけるスロットル開度の代表値を例示するものである。つまり、かかるノーロードラインに対応するスロットル開度ＮＬＬは、ドッグ同士が互いに離間又は押圧せずに単に当接している状態を実現するもののみならず、ドッグ同士が切り離し可能な状態で互いを緩やかに押圧している状態を実現するものをも含んでもよく、かかるノーロードラインに対応するスロットル開度ＮＬＬは、厳密にスロットル開度に合致するもののみならず、それから数度程度上下に偏位したものを含み得る。
【００２７】
また、本実施形態における駆動力制御装置１による駆動力制御処理は、鞍乗型車両のイグニッションスイッチがオンされて駆動力制御装置１が起動されたタイミングで開始となり、鞍乗型車両が起動されて駆動力制御装置１が起動されている間、所定の制御周期毎に繰り返し実行される。
【００２８】
具体的には、図２に一例として示すように、本実施形態における駆動力制御装置１による駆動力制御処理を加速時かつシフトダウン時に実行する際には、まず、制御部５が、クラッチ状態検出部２及び変速操作検出部３から入力された電気信号に基づいて、クラッチ状態検出部２がメインクラッチの接続を検出している状態において、変速操作検出部３がドッグ式トランスミッションの変速操作を検出したと判別した時点（時刻ｔ＝ｔ１）において、所定吸気量だけ減少した吸気量を実現するような目標スロットル開度を算出して、実スロットル開度がかかる目標スロットル開度に合致するような制御信号を、モータ駆動回路６に入力する。この際、このように所定吸気量だけ減少した吸気量を実現するには、実用上は、目標スロットル開度を所定開度に所定時間ほど保持すればよく、詳しくは、図２に示すように、かかる目標スロットル開度は、ノーロードラインに対応するスロットル開度ＮＬＬよりも減少された開度となるように算出されるものである。
【００２９】
また、時刻ｔ＝ｔ１においては、制御部５が、このように目標スロットル開度をノーロードラインに対応するスロットル開度ＮＬＬよりも減少された開度に設定してそのまま保持すると共に、タイマ（プログラムタイマ）の計時を開始する。
【００３０】
次に、制御部５が、タイマの計時により、メインクラッチの接続が検出されている状態においてドッグ式トランスミッションの変速操作が検出されたと判別した時点（時刻ｔ＝ｔ１）から所定期間が経過したと判別した時点（時刻ｔ＝ｔ２）で、目標スロットル開度をノーロードラインに対応する開度ＮＬＬに設定する。
【００３１】
次に、制御部５が、変速段検出部４から入力された電気信号に基づいて変速操作検出時のドッグ式トランスミッションの変速段が高い変速段から低い変速段に移行された、つまり変速が完了したと判別した時点（時刻ｔ＝ｔ３）で、目標スロットル開度をノーロードラインに対応する開度ＮＬＬよりも僅かに高い開度（例えば、数度高い開度）に移行させて維持すると共に、タイマ（プログラムタイマ）の計時を開始する。ここで、ノーロードラインに対応する開度ＮＬＬよりも僅かに高い開度に維持される目標スロットル開度は、時刻ｔ＝ｔ３の時点において、制御部５により、ノーロードラインに対応する開度ＮＬＬに所定の係数（メモリに格納された１よりも大きい固定値）を乗算することで算出される。
【００３２】
次に、制御部５が、タイマの計時により、変速が完了したと判別した時点（時刻ｔ＝ｔ３）から所定期間が経過したと判別した時点（時刻ｔ＝ｔ４）で、目標スロットル開度を、ノーロードラインに対応する開度ＮＬＬよりも僅かに高い開度から要求スロットル開度へ向けて所定の増大速度（単位時間あたりの所定の増大量）で漸増させ始める。なお、タイマの計時完了までの期間（時刻ｔ＝ｔ３から時刻ｔ＝ｔ４までの期間）は、制御部５により、時刻ｔ＝ｔ３の時点において、クランク角センサ１７が入力するエンジンのクランク角に応じた電気信号に基づいて算出されたエンジン回転速度ＮＥが高いほど、長くなるように設定されることが好ましい。
【００３３】
そして、制御部５が、目標スロットル開度を、ノーロードラインに対応する開度ＮＬＬよりも僅かに高い開度から要求スロットル開度へ向けてそれに収束するように所定の増大速度で漸増して徐々に近づけ、目標スロットル開度を要求スロットル開度に円滑に移行させることになり、時刻ｔ＝ｔ５において、目標スロットル開度が要求スロットル開度に到達する。
【００３４】
また、図３に一例として示すように、本実施形態における駆動力制御装置１による駆動力制御処理を加速時かつシフトアップ時に実行する際には、まず、制御部５が、クラッチ状態検出部２及び変速操作検出部３から入力された電気信号に基づいて、クラッチ状態検出部２がメインクラッチの接続を検出している状態において、変速操作検出部３がドッグ式トランスミッションの変速操作を検出したと判別した時点（時刻ｔ＝ｔ１１）において、所定吸気量だけ減少した吸気量を実現するような目標スロットル開度を算出して、実スロットル開度がかかる目標スロットル開度に合致するような制御信号を、モータ駆動回路６に入力する。この際、このように所定吸気量だけ減少した吸気量を実現するには、実用上は、目標スロットル開度を所定開度に所定時間ほど保持すればよく、詳しくは、図３に示すように、かかる目標スロットル開度は、ノーロードラインに対応するスロットル開度ＮＬＬよりも減少された開度となるように算出されるものである。なお、かかる場合の所定吸気量だけ減少した吸気量は、図２を参照して説明した駆動力制御装置１による駆動力制御処理を加速時かつシフトダウン時に実行する際のものと同量に設定してもよいし必要に応じて異ならせてもよい。
【００３５】
また、時刻ｔ＝ｔ１１においては、制御部５が、点火栓駆動回路７及び／又は燃料噴射弁駆動回路８を制御することによって点火の停止及び／又は燃料噴射の停止を開始する。なお、図３中では、点火の停止及び燃料噴射の停止の双方を開始しているが、必要に応じてこれらの一方のみを開始してもよい。
【００３６】
また、時刻ｔ＝ｔ１１においては、制御部５が、このように目標スロットル開度をノーロードラインに対応するスロットル開度ＮＬＬよりも減少された開度に設定してそのまま保持すると共に、点火の停止及び／又は燃料噴射の停止を保持した状態で、タイマ（プログラムタイマ）の計時を開始する。
【００３７】
次に、制御部５が、タイマの計時により、メインクラッチの接続が検出されている状態においてドッグ式トランスミッションの変速操作が検出されたと判別した時点（時刻ｔ＝ｔ１１）から所定期間が経過したと判別した時点（時刻ｔ＝ｔ１２）で、点火の停止及び／又は燃料噴射の停止を中止する。ここで、図２を参照して説明した駆動力制御装置１による駆動力制御処理を加速時かつシフトダウン時に実行する際には、点火の停止及び／又は燃料噴射の停止を行っていないが、これは点火の停止及び／又は燃料噴射の停止の実行期間をゼロとした例として示したものであり、駆動力制御装置１による駆動力制御処理を加速時かつシフトダウン時に実行する際の点火の停止及び／又は燃料噴射の停止の実行期間は、駆動力制御装置１による駆動力制御処理を加速時かつシフトアップ時に実行する際のものよりも短く設定されているものである。これは、前者の場合には、後者の場合に比較して、変速完了後にエンジンの駆動を再開した際にトルクショックが発生する可能性が高いことを考慮して、かかるトルクショックが発生することを抑制するために、エンジンの駆動力自体を過剰に低減することを避けているためである。
【００３８】
次に、制御部５が、タイマの計時により、メインクラッチの接続が検出されている状態においてドッグ式トランスミッションの変速操作が検出されたと判別した時点（時刻ｔ＝ｔ１１）から所定期間が経過したと判別した時点（時刻ｔ＝ｔ１３）で、目標スロットル開度をノーロードラインに対応する開度ＮＬＬに設定する。なお、目標スロットル開度をノーロードラインに対応する開度ＮＬＬに設定するタイミングは、吸気量の変化の応答性等を考慮すれば、点火の停止及び／又は燃料噴射の停止を中止するタイミング以降に設定されていることが好ましい。
【００３９】
次に、制御部５が、変速段検出部４から入力された電気信号に基づいて変速操作検出時のドッグ式トランスミッションの変速段が低い変速段から高い変速段に移行された、つまり変速が完了したと判別した時点（時刻ｔ＝ｔ１４）で、目標スロットル開度をノーロードラインに対応する開度ＮＬＬよりも僅かに高い開度（例えば、数度高い開度）に移行させて維持すると共に、タイマ（プログラムタイマ）の計時を開始する。ここで、ノーロードラインに対応する開度ＮＬＬよりも僅かに高い開度に維持される目標スロットル開度は、時刻ｔ＝ｔ１４の時点において、制御部５により、ノーロードラインに対応する開度ＮＬＬに所定の係数（メモリに格納された１よりも大きい固定値）を乗算することで算出される。
【００４０】
次に、制御部５が、タイマの計時により、変速が完了したと判別した時点（時刻ｔ＝ｔ１４）から所定期間が経過したと判別した時点（時刻ｔ＝ｔ１５）で、目標スロットル開度を、ノーロードラインに対応する開度ＮＬＬよりも僅かに高い開度から要求スロットル開度へ向けて所定の増大速度（単位時間あたりの所定の増大量）で漸増させ始める。ここで、図２を参照して説明した駆動力制御装置１による駆動力制御処理を加速時かつシフトダウン時に実行する際におけるノーロードラインに対応する開度ＮＬＬよりも僅かに高い開度から要求スロットル開度へ向けて増大させる所定の増大速度は、駆動力制御装置１による駆動力制御処理を加速時かつシフトアップ時に実行する際のものよりも小さく設定されているものである。これは、前者の場合には、後者の場合に比較して、変速完了後にエンジンの駆動を再開した際にトルクショックが発生する可能性が高いことを考慮して、かかるトルクショックが発生することを抑制するために、要求スロットル開度へ向けて増大させる目標スロットル開度の増大速度を過剰に増大させないためである。また、タイマの計時完了までの期間（時刻ｔ＝ｔ１４から時刻ｔ＝ｔ１５までの期間）は、制御部５により、時刻ｔ＝ｔ１４の時点において、クランク角センサ１７が入力するエンジンのクランク角に応じた電気信号に基づいて算出されたエンジン回転速度ＮＥが高いほど、長くなるように設定されることが好ましい。
【００４１】
そして、制御部５が、目標スロットル開度を、ノーロードラインに対応する開度ＮＬＬよりも僅かに高い開度から要求スロットル開度へ向けてそれに収束するように所定の増大速度で漸増して徐々に近づけ、目標スロットル開度を要求スロットル開度に円滑に移行させることになり、時刻ｔ＝ｔ１６において、目標スロットル開度が要求スロットル開度に到達する。
【００４２】
以上の説明から明らかなように、本実施形態における駆動力制御装置１では、制御部５が、変速段検出部４によって検出された変速段が切り換わるのに応じて、スロットル開度をスロットル開度の一時的な変化が収束する方向へ所定速度で変化させるように、モータ駆動部６を制御し、かつ、変速操作がシフトダウン操作のときは、変速操作がシフトアップ操作のときと比べて、点火の停止及び／又は燃料の噴射の停止を継続させる時間が短くなるように、点火栓駆動部７及び／又は燃料噴射弁駆動部８を制御すると共に、かかる所定速度が小さくなるように、モータ駆動部６を制御するものであるため、変速完了後にエンジンの駆動を再開した際にトルクショックが発生することを抑制することができる。
【００４３】
なお、本発明は、部材の種類、形状、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００４４】
以上のように、本発明は、変速完了後にエンジンの駆動を再開した際にトルクショックが発生することを抑制可能な駆動力制御装置を提供することができるものであり、その汎用普遍的な性格から車両等の駆動力制御装置に広く適用され得るものと期待される。
【符号の説明】
【００４５】
１…駆動力制御装置
２…クラッチ状態検出部
３…変速操作検出部
４…変速段検出部
５…制御部
６…モータ駆動回路
７…点火栓駆動回路
８…燃料噴射弁駆動回路
１１…クラッチスイッチ
１２…変速操作スイッチ
１３…ギヤポジションセンサ
１４…スロットルモータ
１５…スロットルポジションセンサ
１６…アクセル開度センサ
１７…クランク角センサ
１８…点火栓
１９…燃料噴射弁
【図１】
2018141424.tif 000003
【図２】
2018141424.tif 000004
【図３】
2018141424.tif 000005